(57)【要約】【課題】  下端に上型を有するラムを上下動自在にして上型と下型とが噛み合うことによりワークを加工するプレス装置において、その作業時に手指が上型と下型とに挟まれないようにする安全装置を簡単な構成で提供する。【解決手段】  アーム１の一端１Ａを上側固定ベース７に軸支し、アーム１の中間位置１Ｃを引っ張りばね８でラム３の方向に押し上げるとともに、アーム１の他端１Ｂを前記一端１Ａと反対方向に延出する保護板２に保護板位置調整具１１を介して連結し、前記保護板２を引っ張りばね８で上型４および下型６から離れた位置に保持してあって、ラム３の下降時にラム３に設けた案内ピン９でアーム１を押し上げることによりアーム１の一端１Ａを支点にしてアーム１を回動させて上型４と下型６の噛み合い前に保護板２が通過するようにしてプレス作業者の手を払うプレス装置の安全装置である。【選択図】図１
2008030111.tif 000002
【特許請求の範囲】
【請求項１】
上側固定ベースにあるラムを上下動させてラムの下端の上型を下部固定ベース上の下型と噛み合い状態にするプレス型において、アームの一端を上側固定ベースに軸支して、アームの中間位置を引っ張りばねでラムの方向に押し上げるとともに、アームの他端を前記一端と反対方向に延出する保護板に保護板位置調整具を介して連結し、前記保護板を引っ張りばねで上型および下型から離れた位置に保持してあって、ラムの下降時にラムに設けた案内ピンでアームを押し下げることによりアームの一端を支点にしてアームを回動させて上型と下型との噛み合い前に保護板が通過するようにしたことを特徴とするプレス装置の安全装置。
【発明の詳細な説明】
【技術分野】
【０００１】  本発明は、上型と下型とが噛み合うことによりワークを加工するプレス装置における安全装置に関するものである。
【背景技術】
【０００２】  従来、上型と下型とが噛み合うことによりワークを加工するプレス装置において、プレス作業者の手指などが上型と下型とに挟まって負傷することを防止する種々の手払い式プレス安全装置が知られている。【０００３】  例えば、特許文献１では、手払い棒を取付板に連結して、手払い棒の回転支点をプレス機ラムの前方から側方に片寄せる手払い式プレス安全装置、特許文献２では、連結板と回動板にて手払杆の透明な手払保護板をシャッター作動させる手払い式プレス安全装置および特許文献３では、２つの払いアームを用いた手払い式プレス安全装置が提案されている。【０００４】
【特許文献１】  特開昭６１−５３１６０号公報
【特許文献２】  実開平３−１４０９４号公報
【特許文献３】  実開平５−３０８７６号公報
【発明の開示】
【発明が解決しようとする課題】
【０００５】  手払い式プレス安全装置は安全性を確保する必要あるが、プレス装置自体に付属させるものであるので、簡単な構成の手払い式プレス安全装置が要求される。しかし、上記特許文献１乃至３の手払い式プレス安全装置は何れも型の交換などにも配慮してはいるものの依然として手払いを作動させる構成は簡単とは言い難く製作費も高い。【０００６】  そこで、本発明、上記問題点を解消してプレス装置における安全で作業性がよく安価な構造の安全装置を提供することを目的とする。
【課題を解決するための手段】
【０００７】  本発明のプレス装置における安全装置は、上側固定ベースにあるラムを上下動させてラムの下端の上型を下部固定ベース上の下型と噛み合い状態にするプレス型において、アームの一端を上側固定ベースに軸支して、アームの中間位置を引っ張りばねでラムの方向に押し上げるとともに、アームの他端を前記一端と反対方向に延出する保護板に保護板位置調整具を介して連結し、前記保護板を引っ張りばねで上型および下型から離れた位置に保持してあって、ラムの下降時にラムに設けた案内ピンでアームを押し下げることによりアームの一端を支点にしてアームを回動させて上型と下型との噛み合い前に保護板が通過するようにしたことを特徴とする。
【発明の効果】
【０００８】  本発明のプレス装置における安全装置は、上側固定ベースにあるラムを上下動させてラムの下端の上型を下部固定ベース上の下型と噛み合い状態にするプレス型において、アームの一端を上側固定ベースに軸支して、アームの中間位置を引っ張りばねでラムの方向に押し上げるとともに、アームの他端を前記一端と反対方向に延出する保護板に保護板位置調整具を介して連結し、前記保護板を引っ張りばねで上型および下型から離れた位置に保持してあって、ラムの下降時にラムに設けた案内ピンでアームを押し下げることによりアームの一端を支点にしてアームを回動させて上型と下型との噛み合い前に保護板が通過するようにしているので、プレス作業が安全で、構造の簡単な安全装置を提供することができる。
【発明を実施するための最良の形態】
【０００９】  図面はプレス装置を簡略化してあり、この図面を参照して本発明の実施形態を以下、説明する。【００１０】  プレス装置の下部固定ベース６には下型５が配置されてあり、上側固定ベース７には下端に上型４を有するラム３が上下動自在に設けられており、前記ラム３が上下動して、上型４と下型５とが噛み合い状態にしてプレス作業行う。この場合、上型４はラム３の下方位置にある上型取り付け具３Ａに取り付けられている。上型取り付け具３Ａはストローク調整ネジ３Ｂを介してラム３の上方位置にあるラム本体３Ｃに取り付けられているので、上型４および下型５を交換した場合に、上型４の下降ストロークを長短自在に調整できるようになっている。【００１１】  アーム１はその−端１Ａから延びる辺１３が辺１４で略Ｌ字状となって他端１Ｂに至る途中で辺１４が辺１５で逆Ｌ字状となる形状で構成してあり、辺１３と辺１５とは辺１４に対して逆方向に延びている。【００１２】  上側固定ベース７には、回動軸１２を有し、回動軸１２にアーム１の一端１Ａが取り付けられことにより、アーム１の一端１Ａが上側固定ベース７に軸支されている。また、上側固定ベース７にはアーム１の中間位置１Ｃをラム３の方向に押し上げる引っ張りばね８が取り付けられている。【００１３】  前記ラム３（本実施形態ではラム本体３Ｃ）には案内ピン９が設けられており、案内ピン９はラム３の下降時にアーム１を押し下げることによりアーム１の一端１Ａを支点にしてアーム１を回動させるとともに、前記引っ張りばね８にてアーム１がラム３の方向に押し上げられすぎないように阻止するストッパーとなっている。【００１４】  前記アーム１の他端１Ｂは保護板位置調整具１１に固定されている。また、前記保護板位置調整具１１にはアーム１の他端１Ｂとは別に保護板支持棒１０が保護板位置調整具本体１１Ａに移動可能に設けられている。保護板位置調整具本体１１Ａに設けられた調整ネジ１６は係止具１７を保護板支持棒１０に係止させて保護板支持棒１０の移動を可能にしたり移動を阻止したりする。更に、保護板支持棒１０にはアーム１の他端１Ｂと平行方向すなわち前記一端１Ａと反対方向に延出しその先端に保護板２が設けられている。【００１５】  次に、本発明のプレス装置における安全装置の動作を以下、説明する。【００１６】  図１において、保護板２は引っ張りばね８で上型４および下型６から離れた位置に保持してあるので、プレス装置の上型４と下型５とが離間した状態でプレスされるワーク（図示せず）をプレス作業者の手で装着する。次に、図２においてラム３が下降するとラム３の下降と連動して案内ピン９がアーム１を押し下げてアーム１の一端１Ａを支点にしてアーム１が回動することにより、上型４と下型６の噛み合い前に上型４と下型６の位置を保護板２が通過してプレス作業者の手（図示せず）を払う。【００１７】  ここで、例えば、上型４や下型５を交換して、上型４の下降ストロークが異なった場合、前記保護板位置調整具１１の調整ネジ１６をゆるめて係止具１７による保護板支持棒１０への係止を解除して保護板支持棒１０の移動を調整することによりアーム１および保護板２との位置関係が調整できて、上型４と下型６の噛み合い前に適確に保護板２が通過してプレス作業者の手を払うことができる。
【図面の簡単な説明】
【００１８】
【図１】本発明のプレス装置における安全装置でプレス装置の上型と下型とが離間した状態の概略図である。
【図２】同上のプレス装置の上型と下型とが噛み合った状態の概略図である。
【図３】同上の保護板位置調整具の断面である。
【符号の説明】
【００１９】  １  アーム
２  保護板
３  ラム
４  上型
５  下型
６  下部固定ベース
７  上部固定ベース
８  引っ張りばね
９  案内ピン
１０  保護板支持棒
１１  保護板位置調整具
【図１】
2008030111.tif 000003
【図２】
2008030111.tif 000004
【図３】
2008030111.tif 000005
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
上側固定ベースにあるラムを上下動させてラムの下端の上型を下部固定ベース上の下型と噛み合い状態にするプレス型において、上側固定ベースには回動軸を有し、前記回動軸にアームの一端を取り付けて、前記上側固定ベースに軸支したアームの一端からアームの中間位置まで略Ｌ字状に延びるとともに前記中間位置から他端まで逆Ｌ字状に延びた形状とし、前記アームの中間位置を引っ張りばねでラムの方向に押し上げるとともに、アームの他端を前記一端と反対方向に延出する保護板に保護板位置調整具を介して連結し、前記保護板を引っ張りばねで上型および下型から離れた位置に保持してあって、ラムの下降時にラムに設けた案内ピンでアームを押し下げることによりアームの一端を支点にしてアームを回動させて上型と下型との噛み合い前に保護板が通過するようにしたことを特徴とするプレス装置の安全装置。
【手続補正２】
【補正対象書類名】明細書
【補正対象項目名】０００７
【補正方法】変更
【補正の内容】
【０００７】  本発明のプレス装置における安全装置は、上側固定ベースにあるラムを上下動させてラムの下端の上型を下部固定ベース上の下型と噛み合い状態にするプレス型において、上側固定ベースには回動軸を有し、前記回動軸にアームの一端を取り付けて、前記上側固定ベースに軸支したアームの一端からアームの中間位置まで略Ｌ字状に延びるとともに前記中間位置から他端まで逆Ｌ字状に延びた形状とし、前記アームの中間位置を引っ張りばねでラムの方向に押し上げるとともに、アームの他端を前記一端と反対方向に延出する保護板に保護板位置調整具を介して連結し、前記保護板を引っ張りばねで上型および下型から離れた位置に保持してあって、ラムの下降時にラムに設けた案内ピンでアームを押し下げることによりアームの一端を支点にしてアームを回動させて上型と下型との噛み合い前に保護板が通過するようにしたことを特徴とする。
【手続補正３】
【補正対象書類名】明細書
【補正対象項目名】０００８
【補正方法】変更
【補正の内容】
【０００８】  本発明のプレス装置における安全装置は、上側固定ベースにあるラムを上下動させてラムの下端の上型を下部固定ベース上の下型と噛み合い状態にするプレス型において、上側固定ベースには回動軸を有し、前記回動軸にアームの一端を取り付けて、前記上側固定ベースに軸支したアームの一端からアームの中間位置まで略Ｌ字状に延びるとともに前記中間位置から他端まで逆Ｌ字状に延びた形状とし、前記アームの中間位置を引っ張りばねでラムの方向に押し上げるとともに、アームの他端を前記一端と反対方向に延出する保護板に保護板位置調整具を介して連結し、前記保護板を引っ張りばねで上型および下型から離れた位置に保持してあって、ラムの下降時にラムに設けた案内ピンでアームを押し下げることによりアームの一端を支点にしてアームを回動させて上型と下型との噛み合い前に保護板が通過するようにしているので、プレス作業が安全で、構造の簡単な安全装置を提供することができる。